(57)【特許請求の範囲】
【請求項１】
放電針に高電圧を印加してイオンを発生させ、これらのイオンを含むイオン化エアをファンにより被除電物に向けて送風する送風型イオナイザにおいて、
前記送風型イオナイザは、
前記放電針及びファン並びに第一のねじ孔を有するイオナイザ本体と、
前記イオナイザ本体が取り付けられるステイと、
前記イオナイザ本体を前記ステイから取り外し、再度取り付けたときも、前記ステイに対する前記イオナイザ本体の取付角度を保持する取付角度保持機構と、
を備え、
前記ステイは、
前記第一のねじ孔に螺着するための取付用ねじを挿通させる第一の通孔と、
前記第一の通孔を中心とするほぼ円弧状に形成されたガイド溝と、
を有し、
前記取付角度保持機構は、
前記イオナイザ本体側の係合孔と、
前記ステイを介して前記係合孔に係合可能な係合部材と、
前記イオナイザ本体と前記ステイとの間に配置され、かつ、前記係合部材に螺着される第二のねじ孔及び前記取付用ねじを挿通させる第二の通孔を備えたアングルプレートと、
を有し、
前記取付用ねじを前記第一の通孔及び第二の通孔を挿通させて前記第一のねじ孔に螺着することにより、前記イオナイザ本体を前記ステイに対し回動可能に支持すると共に、
前記ガイド溝に挿通し前記アングルプレートの前記第二のねじ孔に螺着して前記ステイを挟み込むことにより保持された前記係合部材を前記係合孔に係合することにより、前記ステイに対する前記イオナイザ本体の取付角度を保持することを特徴とする送風型イオナイザ。
【請求項２】
請求項１に記載した送風型イオナイザにおいて、
前記係合部材がビスであることを特徴とする送風型イオナイザ。
【請求項３】
請求項１または２に記載した送風型イオナイザにおいて、
前記ステイの底板が連結されるベース金具を備え、このベース金具に対して前記ステイの底板を水平面内で所定角度回動させた状態で固定可能であることを特徴とする送風型イオナイザ。
【請求項４】
請求項１〜３の何れか１項に記載した送風型イオナイザにおいて、
前記イオナイザ本体はイオン化エアが通過する開閉可能なカバーを有し、このカバーを所定角度開けた状態で保持するカバー保持機構を備えたことを特徴とする送風型イオナイザ。
【請求項５】
請求項４に記載した送風型イオナイザにおいて、
前記カバーの背面に、前記ファンまたは放電針を一体的に取り付けたことを特徴とする送風型イオナイザ。
【請求項６】
請求項４または５に記載した送風型イオナイザにおいて、
前記カバーが閉状態から９０°以上、回動可能であることを特徴とする送風型イオナイザ。
【請求項７】
請求項４〜６の何れか１項に記載した送風型イオナイザにおいて、
前記カバーが前記ファンの吐出側に配置され、前記ファンの吸入側に着脱可能なフィルタが配置されていることを特徴とする送風型イオナイザ。
【発明の詳細な説明】
【技術分野】
【０００１】
本発明は、放電針に直流または交流の高電圧を印加して正負イオンを発生させ、これらのイオンを含むイオン化エアを帯電した被除電物に送風して除電する送風型イオナイザに関し、詳しくは、イオナイザ本体やその取付具の構造に特徴を有する送風型イオナイザに関するものである。
【背景技術】
【０００２】
この種の送風型イオナイザは従来から種々提供されており、例えば特許文献１や特許文献２に記載されたイオナイザが知られている。
特許文献１に係る直流除電器では、放電針及びファンを内蔵した本体１４がスタンド１５に対して傾動可能に支持されており、使用者はイオン化エアの送風角度を適宜調整可能に構成されている。
また、特許文献２に係る送風型除電器においても、放電針及びファンを内蔵した本体がスタンドに対して角度調整可能に取り付けられている。
【０００３】
これらのイオナイザは、主として除電面積が比較的小さい被除電物を除電するために小形ボックス状に形成されており、作業台に載置したり、あるいは固定されたパイプに適宜な取付具を介し固定して使用されている。
【０００４】
【特許文献１】特開２００１−１１０５９０号公報（［００２８］、図８〜図１２等）
【特許文献２】意匠登録第１１４７２５６号公報（「意匠に係る物品の説明」、正面図、背面図等）
【発明の開示】
【発明が解決しようとする課題】
【０００５】
しかるに、上述した従来技術において、放電針の清掃や交換、ファンの清掃を行う際にイオナイザ本体を一旦、その取付具ないし固定具から取り外した場合には、その後、イオナイザ本体を取付具に再び取り付けた時に被除電物に対する送風角度が取り外す前と同じになるように再度調整しなくてはならず、その作業に多くの労力や時間を必要としていた。
また、イオナイザ本体を取付具等に取り付けたままの状態で清掃、交換を行うことが困難であり、作業性が悪いという問題があった。
【０００６】
そこで本発明の解決課題は、イオナイザ本体を取り外した後でも取付具に対する取付角度を保持、記憶可能としてイオナイザ本体を取り外し前と同じ角度で再度取付可能とし、取付角度の調整に伴う手間を削減すると共に、放電針の清掃や交換、ファンの清掃を容易にして作業性を大幅に向上させた送風型イオナイザを提供することにある。
【課題を解決するための手段】
【０００７】
上記課題を解決するため、請求項１に係る発明は、放電針に高電圧を印加してイオンを発生させ、これらのイオンを含むイオン化エアをファンにより被除電物に向けて送風する送風型イオナイザにおいて、
前記送風型イオナイザは、
前記放電針及びファン並びに第一のねじ孔を有するイオナイザ本体と、
前記イオナイザ本体が取り付けられるステイと、
前記イオナイザ本体を前記ステイから取り外し、再度取り付けたときも、前記ステイに対する前記イオナイザ本体の取付角度を保持する取付角度保持機構と、
を備え、
前記ステイは、
前記第一のねじ孔に螺着するための取付用ねじを挿通させる第一の通孔と、
前記第一の通孔を中心とするほぼ円弧状に形成されたガイド溝と、
を有し、
前記取付角度保持機構は、
前記イオナイザ本体側の係合孔と、
前記ステイを介して前記係合孔に係合可能な係合部材と、
前記イオナイザ本体と前記ステイとの間に配置され、かつ、前記係合部材に螺着される第二のねじ孔及び前記取付用ねじを挿通させる第二の通孔を備えたアングルプレートと、
を有し、
前記取付用ねじを前記第一の通孔及び第二の通孔を挿通させて前記第一のねじ孔に螺着することにより、前記イオナイザ本体を前記ステイに対し回動可能に支持すると共に、
前記ガイド溝に挿通し前記アングルプレートの前記第二のねじ孔に螺着して前記ステイを挟み込むことにより保持された前記係合部材を前記係合孔に係合することにより、前記ステイに対する前記イオナイザ本体の取付角度を保持するものである。
【０００８】
請求項２に係る発明は、請求項１に記載した送風型イオナイザにおいて、前記係合部材がビスであることを特徴とする。
【０００９】
請求項３に係る発明は、請求項１または２に記載した送風型イオナイザにおいて、前記ステイの底板が連結されるベース金具を備え、このベース金具に対して前記ステイの底板を水平面内で所定角度回動させた状態で固定可能であることを特徴とする。
【００１０】
請求項４に係る発明は、請求項１〜３の何れか１項に記載した送風型イオナイザにおいて、前記イオナイザ本体はイオン化エアが通過する開閉可能なカバーを有し、このカバーを所定角度開けた状態で保持するカバー保持機構を備えたことを特徴とする。
【００１１】
請求項５に係る発明は、請求項４に記載した送風型イオナイザにおいて、前記カバーの背面に、前記ファンまたは放電針を一体的に取り付けたことを特徴とする。
【００１２】
請求項６に係る発明は、請求項４または５に記載した送風型イオナイザにおいて、前記カバーが閉状態から９０°以上、回動可能であることを特徴とする。
【００１３】
請求項７に係る発明は、請求項４〜６の何れか１項に記載した送風型イオナイザにおいて、前記カバーが前記ファンの吐出側に配置され、前記ファンの吸入側に着脱可能なフィルタが配置されていることを特徴とする。
【発明の効果】
【００１９】
本発明によれば、イオナイザ本体を取付具から取り外した際に、取り外す前の取付具に対する取付角度を保持することができるため、イオナイザ本体の再取付時における角度調整作業を不要にすることができる。これにより、最適な送風角度を速やかに再現することが可能である。
また、イオナイザ本体の前面カバーを段階的に開いた状態で保持可能であり、放電針の清掃、交換、ファンの裏側の清掃などの作業性を大幅に向上させることができる。同時に、前面カバーを開き、かつ、背面フィルタを除去することにより、イオナイザ本体の内部において前後方向に外部と連通する空間を形成して各部の清掃等に一層便利な送風型イオナイザを提供することができる。
【発明を実施するための最良の形態】
【００２０】
以下、図に沿って本発明の実施形態を説明する。
まず、図１はイオナイザ本体１０の取付構造を示す分解斜視図である。ここで、本実施形態に係る送風型イオナイザは直流式イオナイザであり、イオナイザ本体１０には正負の高電圧発生回路、放電針、送風用のファン等が内蔵されている。そして、放電針に正負の高電圧を印加することにより正負イオンを発生させ、この正負イオンを含むイオン化エアをファンによりイオナイザ本体１０の前面カバー１００を介して被除電物に送風するように構成されている。
【００２１】
なお、図１におけるイオナイザ本体１０は構造を簡略化して示してあり、具体的な構造は後述する図５〜図７に示す通りである。
また、後に詳述するが、イオナイザ本体１０の前面カバー１００にはファンユニット（図６参照）が一体的に取り付けられており、これらの前面カバー１００及びファンユニットは軸１０１を中心として垂直面内を上方へ回動可能となっている。
【００２２】
さて、図１において、イオナイザ本体１０の取付具を構成するステイ３０は正面ほぼコ字形に形成されており、底板３１と左右の側板３２，３３とを備えている。底板３１のほぼ中央部には、後述する固定用ねじ６３を挿通させるための通孔３４と、後述するタッププレート４３の凸片４３ｂが係合する角孔３５とが形成されている。
【００２３】
ステイ３０の側板３３の上端部には、取付用ねじ３６を挿通させる通孔３３ａが形成されていると共に、この通孔３３ａを中心としてほぼ半円弧状のガイド溝３３ｂが形成されている。図１ではイオナイザ本体１０により隠れているが、他方の側板３２の上端部にも同様に通孔及びガイド溝が形成されており、他方の取付用ねじ等を取付可能となっている。便宜上、以下では一方の側板３３側の取付用ねじ３６等による取付構造について述べるが、他方の側板３２側についても同様の構造となっている。
図示されていないが、ステイを正面ほぼＬ字形に形成して側板３２または３３によりイオナイザ本体１０の一方の側面のみを支持するように構成しても良い。
【００２４】
側板３３の内側には、円板状のアングルプレート３７がイオナイザ本体１０の側面１６との間に配置されており、このアングルプレート３７には、取付用ねじ３６が挿通される通孔３７ａと、イオナイザ本体１０の取付角度を保持する係合部材としてのビス３８がねじ込まれるねじ孔３７ｂとが形成されている。
一方、イオナイザ本体１０の側面１６には、前記通孔３７ａを介して取付用ねじ３６がねじ込まれるねじ孔１６ａと、アングルプレート３７のねじ孔３７ｂにねじ込まれた前記ビス３８の先端部が係合する盲孔状の係合孔１６ｂとが形成されている。
【００２５】
なお、上記構成において、係合部材としてのビス３８、アングルプレート３７、係合孔１６ｂ等は、請求項における取付角度保持機構を構成している。
【００２６】
上述した構造により、イオナイザ本体１０をステイ３０に対して垂直面内で所定角度に取り付ける場合の作用を述べる。
いま、ステイ３０が図示されていない下方のベース金具に固定されているとする。この状態でアングルプレート３７を側板３３の内側に当てがい、取付用ねじ３６を通孔３３ａ，３７ａを介してイオナイザ本体１０のねじ孔１６ａにねじ込むことにより、イオナイザ本体１０を、ステイ３０に対し垂直面内でほぼ１８０度以内の所定角度に調節して仮止めする。更に、ビス３８をガイド溝３３ｂを介してアングルプレート３７のねじ孔３７ｂにねじ込んでその先端部をイオナイザ本体１０の係合孔１６ｂに係合させ、取付用ねじ３６を強くねじ込んでイオナイザ本体１０を確実に固定する。
こうしてイオナイザ本体１０をステイ３０に取り付けることにより、被除電物に対してイオン化エアを所定角度で送風することが可能になる。
【００２７】
次に、イオナイザ本体１０の点検や放電針の交換等を行うためにイオナイザ本体１０をステイ３０から取り外す場合には、取付用ねじ３６を緩めてステイ３０の側板３２，３３を若干外側に拡げ、イオナイザ本体１０をステイ３０から取り外せばよい。このとき、ビス３８の先端部は係合孔１６ｂに単に係合しているだけであるので、イオナイザ本体１０をビス３８の軸方向に移動させるだけで両者の係合を簡単に外すことができる。
【００２８】
イオナイザ本体１０を取り外した状態において、アングルプレート３７はビス３８によって側板３３に固定されたまま残っており、取付用ねじ３６を除去すると図２のような状態になっている。図２において、ビス３８の先端部は、取り外す前のイオナイザ本体１０の係合孔１６ｂの位置を保持しており、言い換えれば、ビス３８はステイ３０の側板３３に対するイオナイザ本体１０の相対的な取付角度を記憶していることになる。
【００２９】
このため、イオナイザ本体１０をステイ３０に再度取り付ける場合には、イオナイザ本体１０の側面１６の係合孔１６ｂをビス３８の先端部に係合させて取付用ねじ３６をねじ込めば、取り外す前と同じ角度でイオナイザ本体１０をステイ３０に取り付けることができる。これにより、イオナイザ本体１０から供給されるイオン化エアの送風角度が変化することがないので、取付角度を再調整する手間も不要になる。
【００３０】
次いで、図３及び図４はステイ３０の取付構造を説明するための分解斜視図及び正面図である。
図３において、４０はベース金具であり、長孔４１ａ，４１ｂを有する基板４１と、この基板４１の中央部上面に固着された凸板４２とを備えている。凸板４２の天板４２ｃには、ステイ３０の通孔３４を貫通する固定用ねじ６３を挿通させるための通孔４２ａが形成され、この通孔４２ａを中心として半円弧状のガイド溝４２ｂが形成されている。
【００３１】
また、４３はほぼリング状のタッププレートであり、このタッププレート４３は前記凸板４２の天板４２ｃと基板４１との間に挿入されて固定用ねじ６３に螺着されるものである。このタッププレート４３には、固定用ねじ６３がねじ込まれるねじ孔４３ａと、天板４２ｃのガイド溝４２ｂに係合する凸片４３ｂとが形成されている。
【００３２】
更に、５０は翼板５１，５２及びＶ字板５３からなる固定金具であり、前記長孔４１ａ，４１ｂに挿通されたボルト６１，６２をねじ孔５１ａ，５２ａにねじ込むことでベース金具４０と一体的に連結固定されるようになっている。
【００３３】
図４は、ベース金具４０、タッププレート４３及び固定金具５０を組み合わせてステイ３０を取り付けた状態の正面図である。なお、７０は取付用のパイプである。
図示するように、タッププレート４３を天板４２ｃの裏側に配置して固定用ねじ６３をねじ込む際に、凸片４３ｂを天板４２ｃのガイド溝４２ｂを介してステイ３０の角孔３５に係合させることにより、固定用ねじ６３を若干緩めた状態では、ステイ３０及びタッププレート４３が固定用ねじ６３を中心としてほぼ１８０度回動可能であるから、水平面内におけるステイ３０及びタッププレート４３のベース金具４０に対する相対的な角度を所定値に調整することができ、その後に固定用ねじ６３を締め込むことによってその角度を固定することができる。言い換えれば、ステイ３０に取り付けられたイオナイザ本体１０の水平面内の角度をほぼ１８０度以内で任意に調節してベース金具４０及び固定金具５０に固定することが可能である。
【００３４】
なお、図３、図４に示した取付具の構造はあくまで一例であり、ステイ３０を水平面内で回動させて所定の位置で固定する構造は、図示例に何ら限定されるものではない。
【００３５】
このように本実施形態の取付構造によれば、イオナイザ本体１０の垂直面内及び水平面内の取付角度をきめ細かく調整できるため、被除電物に対して最適な送風角度を得ることができる。また、イオナイザ本体１０を一旦取り外して再度セットする場合にも、取り外す前と同じ取付角度を直ちに再現できるため、角度調整作業に多くの労力や時間を要することなく、極めて使い勝手の良い送風型イオナイザを実現することができる。
【００３６】
次に、図５は本実施形態の具体的構造を示した外観図であり、図５（ａ）は正面図、同（ｂ）は前面の斜視図、同（ｃ）は背面の斜視図である。
これらの図において、１０２は前面カバー１００内のイオン化エアが通過する送風口、１０３は取り外し可能な背面フィルタである。また、１０４は正負のイオンバランスを表示する発光ダイオード等からなる表示部である。
【００３７】
更に、前述したごとく、前面カバー１００は上方へ回動可能となっており、図６は前面カバー１００を開けた状態の斜視図（図６（ａ））、右側面図（図６（ｂ））及び正面図（図６（ｃ））である。
図６（ａ），（ｃ）に示すごとく、前面カバー１００の背面には、ファン１０６を有するファンユニット１０５が一体的に取り付けられ、これらの前面カバー１００及びファンユニット１０５は最大で１８０°まで段階的に回動可能となっている。
また、これらの図において、１０７はイオナイザ本体１０のケーシング１１１内部の上下左右に配置された放電針を示す。更に、１１０は、図３における固定用ねじ６３に代わる固定用レバーである。
【００３８】
このように前面カバー１００をファンユニット１０５と共に回動可能とし、かつ、後述する如く前面カバー１００を所定角度開いた状態で保持可能に形成したことにより、放電針１０７の前方に十分な作業空間を確保した状態で放電針１０７の清掃、交換を容易に行うことができる。また、この実施形態では背面フィルタ１０３の取り外しも可能であるから、必要に応じて背面フィルタ１０３を取り外すことにより、イオナイザ本体１０の内部において前後方向に外部と連通する空間を形成することができ、これによって放電針１０７の清掃等が一層容易になるものである。加えて、ファン１０６の羽根の背面など、汚れやすい個所の清掃にも便利である。
【００３９】
更に、本実施形態では、前面カバー１００を所定角度開けたままの状態で保持する機構を備えている。以下、この前面カバー保持機構について説明する。
【００４０】
図７は、前面カバー１００を徐々に開いていき、９０°，１３５°，１８０°の３段階で保持した状態を示す前面カバー保持機構の動作説明図である。
図示するように、イオナイザ本体１０の上端部両側には、スプリング（図示せず）によって常に上方へ付勢された上下動可能なストッパー１０９が配置されている。一方、前面カバー１００の両側に設けられた基端部１０８の外周部には、前記凸部１０９ａに係止可能な３個所の凹部１０８ａが形成されている。これらの凹部１０８ａは、以下に述べるように、前面カバー１００を９０°，１３５°，１８０°開いた状態で前記凸部１０９ａに係止するものである。
【００４１】
前述したように、前面カバー１００は軸１０１を中心として垂直面内を上方へ回動可能であり、閉状態の前面カバー１００を開けていく過程では、ストッパー１０９の凸部１０９ａがスプリングの復元力によって基端部１０８の外周面に常時圧接されている。
このため、図７に示すごとく、前面カバー１００を徐々に開いていくと、凹部１０８ａが形成された９０°，１３５°，１８０°の位置でストッパー１０９の凸部１０９ａが凹部１０８ａにそれぞれ係止し、その角度で前面カバー１００を保持することができる。
【００４２】
従って、イオナイザ本体１０をステイ３０に取り付けたまま前面カバー１００を９０°，１３５°または１８０°開けた状態で前面カバー１００を保持、固定でき、放電針１０７の清掃、交換やファン１０６の背面の清掃等、用途に応じた最適な作業環境を提供することができる。
【００４３】
なお、上記実施形態では前面カバー１００を上方に開くように形成したが、前面カバー１００を下方に開くように形成しても良い。また、前面カバー１００の背面に放電針１０７を配置し、イオナイザ本体１０のケーシング１１１内部にファンユニット１０５を取り付けても良い。
更に、上記実施形態では直流式イオナイザについて説明したが、本発明は直流式、交流式を問わず各種のイオナイザに適用することが可能である。
【図面の簡単な説明】
【００４４】
【図１】本発明の実施形態に係るイオナイザ本体をステイに取り付けるための構造を示す分解斜視図である。
【図２】ステイに対するイオナイザ本体の取付角度を示す図である。
【図３】ステイの取付構造を説明するための分解斜視図である。
【図４】ステイの取付構造を説明するための正面図である。
【図５】本発明の実施形態の正面図（図５（ａ））及び斜視図（図５（ｂ），（ｃ））である。
【図６】本発明の実施形態において前面カバーを開けた状態の斜視図（図６（ａ））、右側面図（図６（ｂ））及び正面図（図６（ｃ））である。
【図７】本発明の実施形態における前面カバー保持機構の動作状態を示す斜視図である。
【符号の説明】
【００４５】
１０：イオナイザ本体
１６：側面
１６ａ：ねじ孔
１６ｂ：係合孔
３０：ステイ
３１：底板
３２，３３：側板
３３ａ：通孔
３３ｂ：ガイド溝
３４：通孔
３５：角孔
３６：取付用ねじ
３７：アングルプレート
３７ａ：通孔
３７ｂ：ねじ孔
３８：ビス
４０：ベース金具
４１：基板
４１ａ，４１ｂ：長孔
４２：凸板
４２ａ：通孔
４２ｂ：ガイド溝
４２ｃ：天板
５０：固定金具
５１，５２：翼板
５１ａ，５２ａ：ねじ孔
５３：Ｖ字板
６１，６２：ボルト
６３：固定用ねじ
１００：前面カバー
１０１：軸
１０２：送風口
１０３：背面フィルタ
１０４：表示部
１０５：ファンユニット
１０６：ファン
１０７：放電針
１０８：基端部
１０８ａ：凹部
１０９：ストッパー
１０９ａ：凸部
１１０：固定用レバー
１１１：ケーシング
【図１】
0004662839.tif 000002
【図２】
0004662839.tif 000003
【図３】
0004662839.tif 000004
【図４】
0004662839.tif 000005
【図５】
0004662839.tif 000006
【図６】
0004662839.tif 000007
【図７】
0004662839.tif 000008